(57)【特許請求の範囲】
【請求項１】
冷陰極放電ランプと、該冷陰極放電ランプを点灯させるインバータ手段と、前記冷陰極放電ランプの点灯時間が所定時間に達したとき視覚的な表示を行うための制御手段とを備えた誘導灯装置において、
前記冷陰極放電ランプの点灯時間に対応する時間を計時するカウンタ回路と、
前記カウンタ回路が計時する時間が、前記冷陰極放電ランプの発光により得られる輝度が低下して予め設定された輝度低下限度値よりも低くなる設定時間に達したとき、この設定時間に対応して前記冷陰極放電ランプに流れる電流を２段階または複数段階に増加させるランプ電流増加信号を出力する制御回路と、
前記制御回路に接続され、前記ランプ電流増加信号を入力するコントロール端子を備え、前記制御回路が出力する前記ランプ電流増加信号に対応する電流を前記冷陰極放電ランプに供給するインバータ回路と、を備えたことを特徴とする誘導灯装置。
【請求項２】
冷陰極放電ランプと、該冷陰極放電ランプを点灯させるインバータ手段と、前記冷陰極放電ランプの点灯時間が所定時間に達したとき視覚的な表示を行うための制御手段とを備えた誘導灯装置において、
前記冷陰極放電ランプの点灯時間に対応する時間を計時するカウンタ回路と、
前記カウンタ回路が計時する時間が、前記冷陰極放電ランプの発光により得られる輝度が低下して予め設定された輝度低下限度値よりも低くなる第１の設定時間に達したとき、この設定時間に対応して前記冷陰極放電ランプに流れる電流を２段階または複数段階に増加させるランプ電流増加信号を出力する制御回路と、
前記カウンタ回路が計時する時間が、前記冷陰極放電ランプの発光により得られる輝度が低下して予め設定された輝度低下限度値よりも低くなる第１の設定時間よりも長い第２の設定時間に達したときＯＮ／ＯＦＦ信号を出力する比較回路と、
前記制御回路に接続され、前記ランプ電流増加信号を入力するコントロール端子と、前記比較回路に接続され、前記ＯＮ／ＯＦＦ信号を入力するＯＮ／ＯＦＦ端子とを備え、前記制御回路が出力する前記ランプ電流増加信号に対応する電流を前記冷陰極放電ランプに供給するとともに、前記比較回路が前記ＯＮ／ＯＦＦ信号を出力するとき前記冷陰極放電ランプを点滅させるインバータ回路と、を備えたことを特徴とする誘導灯装置。
【請求項３】
前記ＯＮ／ＯＦＦ信号がランダムな周期またはランダムな点灯時間比をもつ信号であることを特徴とする請求項２記載の誘導灯装置。
【発明の詳細な説明】
【０００１】
【産業上の利用分野】
本発明は、冷陰極放電ランプを用いた誘導灯装置に関する。
【０００２】
【従来の技術】
従来の誘導灯装置は熱陰極放電ランプを用いたもの（実公昭５６−１１２８３号等）が主流であったが、最近では、消費電力が少なく、より小型化・コンパクト化が可能な冷陰極放電ランプを用いるものに移り変わりつつある。
【０００３】
図３１に冷陰極放電ランプを用いた従来の誘導灯装置の外観を示す。同図の（ａ）は正面図、（ｂ）は平面図、（ｃ）は側面図である。図において、１は本体、２は表示パネル、３は引き輪、４はランプモニタ、５は電源コード通し穴、６、７は本体取り付け穴である。
図３２は誘導灯本体の内部構成を示す図で、３ａは点検スイッチ、８は電源装置、９は点灯装置、１０はリセットスイッチ、１１はバッテリ、１２はランプ（冷陰極放電ランプ）、１３は端子台である。
また、図３３は誘導灯装置の回路構成図で、１４は充電回路、１５はダイオードＯＲ回路、１６はＤＣ−ＤＣコンバータ回路、１７はインバータ回路、１８は制御回路である。
図３４は制御回路１８の内部構成を示す回路図で、２０はクロック発生回路、２１はカウンタ回路、２２は比較回路、２３は時間設定器である。
【０００４】
誘導灯の基本動作は、商用電源が入力されている場合は商用電源から得られる電力でランプ１２を点灯（常用点灯）すると同時にバッテリ１１を充電する。また、停電等により商用電源からの電力が途絶えるとバッテリ１１からの電力によってランプ１２を点灯（非常点灯）する。後者は火災等の非常時に避難経路を誘導する目的のため停電する場合もあることからバッテリが用いられている。
図３３に示すように、商用電源は端子台１３を経由して電源装置８に入力され、電源装置８は商用電源の交流電圧を低電圧の直流電圧に変換する。充電回路１４は電源装置８からの電圧によってバッテリ１１に充電電流を流す。ダイオードＯＲ回路１５は、常用点灯時には電源装置８からの直流電圧を、停電や点検などの非常点灯時にはバッテリ１１からの直流電圧を、ＤＣ−ＤＣコンバータ回路１６に伝達する。ＤＣ−ＤＣコンバータ回路１６は直流電圧を入力し昇圧する。インバータ回路１７はＤＣ−ＤＣコンバータ回路１６からの昇圧された直流電圧によって高周波の交流電圧を発生し、このインバータ回路１７で得られた高周波電圧でランプ１２が点灯する。
したがって、商用電源電圧が端子台１３に入力されている場合、電源装置８によって得られた直流電圧はダイオードＯＲ回路１５、ＤＣ−ＤＣコンバータ回路１６を経由してインバータ回路１７に入力され、インバータ回路１７からランプ１２に高周波高電圧が印加され、ランプ１２が点灯する。一方、商用電源がなくなる即ち停電すると、電源装置８の出力電圧が０Ｖになることから、ＤＣ−ＤＣコンバータ回路１６はバッテリ１１の電圧を昇圧してインバータ回路１７に入力し、即ちバッテリ１１からの電力によってランプ１２が点灯する。
【０００５】
このような誘導灯装置においては、図３５に示すように点灯時間に対応してランプ１２の光束が低下し、表示パネル２の表面輝度が低下する問題点がある。図３５はランプの点灯時間−輝度特性を示すもので、Ａは予め設定された輝度低下限度値であり、ｔはランプが所定の輝度を発光できなくなり、寿命となる時間である。
冷陰極放電ランプは、その特性上寿命末期になると輝度が低下するだけで、通常の熱陰極放電ランプのようにチラツキを発生するものではないため、外見からは寿命の判定がしにくいものである。そのため、従来の対策としては、表示パネル２の輝度が規定の輝度Ａになる点灯時間ｔに達した時に、ＬＥＤ等からなるランプモニタ４を点灯し、ランプ交換を促す表示を行っている。
冷陰極放電ランプの寿命はおおよそ１〜２．５年とされており、点灯時間がそれに達した場合は本体１から表示パネル２を取り外し、ランプ１２を交換しなければならない。
【０００６】
ランプ交換時期の表示は図３４に示すような回路を用いている。即ち、クロック発生回路２０から出力される基準クロックをカウンタ回路２１が計数し、比較回路２２によって時間設定器２３からの設定値ｔと比較し、カウンタ回路２１の計数値が時間設定値ｔより大きい場合にランプモニタ４（ＬＥＤ）を点灯するようにしている。ランプ１２を交換した後リセットスイッチ１０を押せば、カウンタ回路２１の計数値が０にクリアされてまた新たな点灯時間を計数する。
【０００７】
【発明が解決しようとする課題】
しかしながら、冷陰極放電ランプの寿命表示即ち交換時期表示が上述のごとくＬＥＤ等の点灯のため分かりにくいという問題点があった。また、冷陰極放電ランプの寿命は１〜２．５年であるのに対してバッテリの寿命は目安として５年位であり、交換時期が異なるため手数がかかる。
【０００８】
本発明は、かかる問題点を解決するためになされたものであり、主たる課題は、第一に、冷陰極放電ランプの交換時期表示を視覚的に強く訴えるようにすることであり、第二に、冷陰極放電ランプの交換時期を延長してバッテリと同時期になるようにすることである。
【０００９】
【課題を解決するための手段】
本発明に係る誘導灯装置は、冷陰極放電ランプと、該冷陰極放電ランプを点灯させるインバータ手段と、前記冷陰極放電ランプの点灯時間が所定時間に達したとき視覚的な表示を行うための制御手段とを備えた誘導灯装置において、
前記冷陰極放電ランプの点灯時間に対応する時間を計時するカウンタ回路と、
前記カウンタ回路が計時する時間が、前記冷陰極放電ランプの発光により得られる輝度が低下して予め設定された輝度低下限度値よりも低くなる設定時間に達したとき、この設定時間に対応して前記冷陰極放電ランプに流れる電流を２段階または複数段階に増加させるランプ電流増加信号を出力する制御回路と、
前記制御回路に接続され、前記ランプ電流増加信号を入力するコントロール端子を備え、前記制御回路が出力する前記ランプ電流増加信号に対応する電流を前記冷陰極放電ランプに供給するインバータ回路と、を備えたことを特徴とするものである。
【００１０】
冷陰極放電ランプの点滅は認識可能な一定周期で行ってもよいが、ランダムな周期またはランダムな点灯時間比をもつＯＮ／ＯＦＦ信号によりランダムに点滅させる。
【００１１】
また、本発明は、前記冷陰極放電ランプの点灯時間に対応する時間を計時するカウンタ回路と、前記カウンタ回路が計時する時間が、前記冷陰極放電ランプの発光により得られる輝度が低下して予め設定された輝度低下限度値よりも低くなる第１の設定時間に達したとき、この設定時間に対応して前記冷陰極放電ランプに流れる電流を２段階または複数段階に増加させるランプ電流増加信号を出力する制御回路と、前記カウンタ回路が計時する時間が、前記冷陰極放電ランプの発光により得られる輝度が低下して予め設定された輝度低下限度値よりも低くなる第１の設定時間よりも長い第２の設定時間に達したときＯＮ／ＯＦＦ信号を出力する比較回路と、前記制御回路に接続され、前記ランプ電流増加信号を入力するコントロール端子と、前記比較回路に接続され、前記ＯＮ／ＯＦＦ信号を入力するＯＮ／ＯＦＦ端子とを備え、前記制御回路が出力する前記ランプ電流増加信号に対応する電流を前記冷陰極放電ランプに供給するとともに、前記比較回路が前記ＯＮ／ＯＦＦ信号を出力するとき前記冷陰極放電ランプを点滅させるインバータ回路と、を備えた構成とし、またランダムな周期またはランダムな点灯時間比をもつＯＮ／ＯＦＦ信号によりランダムに点滅させるものである。
【００１５】
【作用】
冷陰極放電ランプの寿命末期に、制御手段からのＯＮ／ＯＦＦ信号で冷陰極放電ランプが点滅するため、冷陰極放電ランプの交換時期が分かりやすくなる。また、ランダムに点滅させれば、あたかも従来の熱陰極放電ランプと同じようなチラツキ現象を呈するため、一層分かりやすくなる。
【００１６】
インバータ手段の出力を変化させることにより冷陰極放電ランプに流れる電流を２段階または複数段階に増加させて表示パネルの表面輝度を上げることができるので、冷陰極放電ランプの交換時期を延長することができる。このため、バッテリの交換時期と同時期に合わせることが可能になる。さらに、上記の点滅動作を加えることにより冷陰極放電ランプの交換時期が分かりやすくなる。
【００１８】
冷陰極放電ランプから発する光量を光検出手段で検出し、その光出力が所定の点灯時間一定になるようインバータ手段の出力を制御することにより、ランプ寿命が延びランプ交換時期が延びる。光検出手段の出力を所定の輝度下限値で一定に制御すればさらにランプ寿命が延びるとともに経済的でもある。また、停電等の場合には、光検出手段の出力を低下させるようインバータ手段の出力を制御することにより、バッテリの消費電力を軽減することができる。
【００１９】
【実施例】
実施例１．
図１は本発明の実施例１に係る誘導灯装置の点灯回路の構成図、図２は図１の制御回路１８ａの表示系統に係る部分の回路構成図である。図１以下において、従来と同じものには同一の符号を用い、説明は省略する。
本実施例の点灯回路においては、ランプ１２の交換時期がきたら、さらに制御回路１８ａからインバータ回路１７ａのＯＮ／ＯＦＦ端子にＯＮ／ＯＦＦ制御信号を接続する構成となっている。このＯＮ／ＯＦＦ制御信号によってランプ１２を点滅させるものである。
ＯＮ／ＯＦＦ制御信号は図２に示すような回路構成によってインバータ回路１７ａに入力する。図２の構成例では、従来の回路（図３４参照）に、例えば数Ｈｚの発振信号を出力する発振回路２４とゲート回路２５を追加した構成となっている。図３は動作タイミングを示す図である。同図の（ａ）は比較回路２２の出力、（ｂ）は発振回路２４の出力、（ｃ）はゲート回路２５の出力、（ｄ）はランプ１２の点滅動作をそれぞれ示す。ｔ１は時間設定器２３により設定された時間を示す。
【００２０】
本実施例においては、先に述べたように、クロック発生回路２０からの基準クロックによりカウンタ回路２１は点灯時間に対応する時間を計数する。比較回路２２はカウンタ回路２１の出力と時間設定器２３の設定時間ｔ１を比較し、比較回路２２の計数時間が設定時間ｔ１より大きくなったときに、比較回路２２は「１」の信号を出力する。この出力はゲート回路２５に入力し、比較回路２２の出力が「１」の時発振回路２４の発振出力をインバータ回路１７ａのＯＮ／ＯＦＦ端子に入力する。
図３に示すように、比較回路２２の出力（ａ）がｔ１時間後に「１」になると、発振出力（ｂ）の発振波形がゲート回路２５からインバータ回路１７ａに伝達（ｃ）され、ランプ１２は点灯と消灯を繰り返す（ｄ）。
このようにランプ１２が点滅することで表示が強調されることになるため、ランプ交換時期が確実に認識できる。また、ランプモニタ４は点灯させても点灯させなくてもいずれでもよい。
【００２１】
実施例２．
実施例１はランプ寿命末期にランプ１２を認識可能な一定周期で点滅させるものであったが、本実施例ではランダムな周期あるいはランダムな点灯時間比をもつＯＮ／ＯＦＦ制御信号でランプ１２を点滅させるものである。そのため、発振回路２４がランダム周波数（数Ｈｚ）、ランダム周期（数１００ｍｓ）の発振信号を出力するようにしている。
図４に本実施例の動作タイミングを示す。同図の（ａ）は比較回路２２の出力、（ｂ）は発振回路２４の出力、（ｃ）はゲート回路２５の出力、（ｄ）はランプ１２の点滅動作をそれぞれ示している。
基本的に実施例１と同じ動作であるが、設定時間ｔ１の経過後はランプ１２がランダムに点滅するので、従来の熱陰極放電ランプの使用時に見られるような寿命末期状態に酷似したチラツキ現象を発生するため、ランプ交換時期が一層明瞭に分かるものとなる。
【００２２】
実施例３．
図５は本発明の実施例３に係る誘導灯装置の点灯回路の構成図、図６は図５の制御回路１８ｂの表示系統に係る部分の回路構成図である。
図５において、１６ａはＤＣ−ＤＣコンバータで、制御回路１８ｂからランプ電流増加信号をコントロール端子Ｃに入力することにより出力電圧が２段階に制御される。
図６において、２１ａは第１のカウンタ回路、２１ｂは第２のカウンタ回路、２２ａは第１の比較回路、２２ｂは第２の比較回路、２３ａは第１の時間設定器で、設定時間ｔ１を設定する。２３ｂは第２の時間設定器で、設定時間ｔ２（ｔ２＞ｔ１）を設定する。
本実施例は、ランプ１２の点灯時間に対応し、ＤＣ−ＤＣコンバータ１６ａを制御してインバータ回路１７の出力を変化させ、ランプ電流を２段階に増加させるようにしたものである。
図７にランプ点灯時間に対するインバータ入力電圧の変化を示す。また図８にランプ点灯時間に対する表示パネル２の表面輝度の変化を示す。Ａは所定の輝度下限値である。
【００２３】
本実施例においては、クロック発生回路２０からの基準クロックにより第１のカウンタ回路２１ａと第２のカウンタ回路２１ｂがそれぞれ点灯時間に対応する時間を計数する。それぞれの計数時間は第１の比較回路２２ａと第２の比較回路２２ｂで設定時間ｔ１及び設定時間ｔ２と比較され、まず、第１のカウンタ回路２１ａの計数時間が設定時間ｔ１に達した時、第１の比較回路２２ａの出力がＤＣ−ＤＣコンバータ１６ａのコントロール端子Ｃに入力され、ＤＣ−ＤＣコンバータ１６ａの出力電圧を高くし、インバータ回路１７の入力電圧を図７に示すように上昇させる。このため、ランプ１２に流れる電流が増加し、図８に示すように表示パネル２の表面輝度が所定の輝度下限値Ａ付近にまで低下した状態をさらに１段と引き上げることになる。次いで、第２のカウンタ回路２１ｂの計数時間が設定時間ｔ２に達した時、第２のカウンタ回路２１ｂの出力がランプモニタ４に入力され、ランプモニタ４を点灯させる。ランプモニタ４が点灯すれば、ランプ交換後リセットスイッチ１０の押し下げで第１及び第２のカウンタ回路２１ａ、２１ｂが共に０にクリアされる。
【００２４】
本実施例によれば、ｔ２時間はｔ１時間の約２倍に設定されるので、ランプ交換時期が２倍に延長する効果がある。そのため、ランプ交換時期をバッテリ１１の交換時期に合わせることが可能になり、ランプ１２とバッテリ１１の交換作業が一度で済む。
【００２５】
なお、本実施例では、設定時間ｔ１の時点で、ＤＣ−ＤＣコンバータ１６ａの出力電圧を高くするようにしたが、インバータ回路１７の出力周波数を変化させることなどによりインバータ回路１７の出力を変化させてもよい。
【００２６】
実施例４．
図９は本発明の実施例４に係る回路構成図で、図１０は図９の制御回路１８ｃの回路構成図である。
本実施例は、実施例１の図１、図２の回路と実施例３の図５、図６の回路の組み合わせたものである。即ち、第１のカウンタ回路２１ａの計数時間が第１の設定時間ｔ１に達した時、第１の比較回路２２ａの出力をＤＣ−ＤＣコンバータ１６ａに入力することによりＤＣ−ＤＣコンバータ１６ａの出力電圧を高くし、インバータ回路１７ａの入力電圧を上昇させることは実施例３と同じであるが、第２のカウンタ回路２１ｂの計数時間が第２の設定時間ｔ２に達した時には、第２のカウンタ回路２１ｂの出力「１」により、発振回路２４の発振出力をインバータ回路１７ａに入力し、そのＯＮ／ＯＦＦ制御信号でランプ１２を点滅させるものである。この場合においても、実施例２と同様にランダムにランプ１２を点滅させることができる。
本実施例は実施例１〜３の特徴を兼ね備えたものとなり、ランプ交換時期の延長とランプの点滅による視覚的表示の強調が可能になる。
【００２７】
実施例５．
図１１は本発明の実施例５に係る制御回路１８ｄの回路構成図である。制御回路１８ｄは図５または図１と同様の回路に組み込まれている。図１１において、２６はＤ／Ａ変換器である。
図１２はランプ点灯時間に対するインバータ入力電圧の変化を示す図、図１３はランプ点灯時間に対する表示パネル２の表面輝度の変化を示す図である。
本実施例はインバータ出力を複数段階に変化させることによりランプ電流を複数段階に増加させるものである。
図１１において、クロック発生回路２０からの基準クロックによりカウンタ回路２１が点灯時間に対応する時間を計数する。計数時間即ち、カウンタ回路２１の出力は比較回路２２とＤ／Ａ変換器２６に入力され、Ｄ／Ａ変換器２６は点灯時間に対応するカウンタ値（ディジタル信号）をアナログ信号に変換してＤＣ−ＤＣコンバータ回路１６ａのコントロール端子Ｃに入力する。ＤＣ−ＤＣコンバータ回路１６ａの出力電圧が点灯時間に対応して上昇することから、図１２に示すようにインバータ回路に入力する電圧が高まり、ランプ１２に流れるランプ電流も点灯時間とともに増加し、図１３に示すように表示パネル２の輝度の低下する時間が２倍になる。したがって、ランプ交換時期を延長できる。
【００２８】
本実施例では、インバータ電圧を点灯時間の初期から変化させるものとしたが、所定の点灯時間が経過するまでは一定で、その後に複数段階に変化させるようにしてもよい。また、本実施例と前述の実施例４の組み合わせとすることもできる。
【００２９】
実施例６．
図１４は本発明の実施例６に係る誘導灯装置の内部構成図で、２本のランプ１２ａ、１２ｂを有する。図１５は本実施例の回路構成図で、各々のランプ１２ａ、１２ｂに対応して２個のインバータ回路１７ａ、１７ｂが設けられており、制御回路１８ｅから５０Ｈｚ位の周波数の信号を交互にインバータ回路１７ａ、１７ｂのＯＮ／ＯＦＦ端子に入力することによってランプ１２ａ、１２ｂを交互に点灯させるようになっている。図１６は制御回路１８ｅの内部回路構成図で、２７は発振回路、２８は反転回路である。図１７は動作波形図で、（ａ）は発振回路２７の出力波形、（ｂ）は反転回路２８の出力波形、（ｃ）はランプ１２ａの点灯動作波形、（ｄ）はランプ１２ｂの点灯動作波形をそれぞれ示す。
図１６において、発振回路２７は図１７（ａ）に示すように５０Ｈｚ位で連続的に発振し、また発振回路２７に接続する反転回路２８は図１７（ｂ）に示すように発振回路２７の出力を反転した波形となる。この２つの信号はそれぞれインバータ回路１７ａのＯＮ／ＯＦＦ端子、インバータ回路１７ｂのＯＮ／ＯＦＦ端子に接続されているので、ランプ１２ａとランプ１２ｂは図１７（ｃ）、（ｄ）に示すように５０Ｈｚ位で交互に点灯する。一方、カウンタ回路２１はクロック発生回路２０からの基準クロックを計数し、比較回路２２で設定時間ｔ２と比較する。この場合、設定時間ｔ２は従来のランプ交換時期表示時間の２倍の長さになる。
発振回路２７の発振周波数はランプの点滅と混同を生じさせないような周波数（５０Ｈｚ〜数１００Ｈｚ）であればよい。また、ランプの本数は２本以上でもよく、もともと２灯点灯して規定された表示パネル輝度を得るものはランプを４本以上設置してもよい。
【００３０】
実施例７．
本実施例は、実施例６と同様に２本のランプを備え、そのうちの１本を予備ランプとし、他の１本が寿命になったら切り替えて点灯する方式である。
図１８に実施例７に係る回路構成図を示す。制御回路１８ｆの切り替え信号によってスイッチ２９を切り替えるようにしている。図１９は制御回路１８ｆの内部回路構成図、図２０は動作波形図で、（ａ）は比較回路２２ａの出力、（ｂ）はランプ１２ａの動作、（ｃ）はランプ１２ｂの動作、（ｄ）は比較回路２２ｂの出力、（ｅ）はランプモニタ４の動作をそれぞれ示す。
図１９において、クロック発生回路２０からの基準クロックによりカウンタ回路２１ａとカウンタ回路２１ｂは点灯時間に対応する時間を計数する。それぞれの計数時間は比較回路２２ａと比較回路２２ｂでそれぞれ設定時間ｔ１及び設定時間ｔ２と比較される。比較回路２２ｂの出力はランプモニタ４に、比較回路２２ａの出力はスイッチ２９に接続されている。カウンタ回路２１ａが設定時間ｔ１を計数すると、比較回路２２ａは図２０（ａ）に示すようにｔ１時間後に「１」を出力する。したがって、ｔ１時間までは図２０（ｂ）に示すようにランプ１２ａが点灯する。そして比較回路２２ａの出力でスイッチ２９が駆動され、インバータ回路１７の出力がランプ１２ｂに接続する。その後は図２０（ｃ）に示すようにランプ１２ｂが点灯する。カウンタ回路２１ｂが設定時間ｔ２を計数すると、比較回路２２ｂは図２０（ｄ）に示すようにｔ２時間経過後に「１」を出力する。この出力により図２０（ｅ）に示すようにランプモニタ４が点灯する。
本実施例によれば、ランプの交換時期が２倍に延長する。
【００３１】
実施例８．
本実施例は、実施例７の構成において、さらに１灯目寿命状態と２灯目寿命状態でそれぞれランプモニタ４の表示を変える方式としたものである。
図２１は本実施例に係る制御回路１８ｇの内部回路構成図で、図１９の回路に点滅回路３０を追加したものである。図２２は動作タイミング図で、（ａ）は比較回路２２ａの出力、（ｂ）はランプ１２ａの動作、（ｃ）はランプ１２ｂの動作、（ｄ）は比較回路２２ｂの出力、（ｅ）はランプモニタ４の動作をそれぞれ示す。
本実施例の動作は実施例７とほぼ同様であるが、点滅回路３０は比較回路２２ａの出力が「１」の時にランプモニタ４を点滅させ、比較回路２２ｂの出力が「１」を出力している時にランプモニタ４を点滅から点灯に切り替える。これは点灯と点滅動作が逆であってもよく、またランプモニタを２つ使用してもよい。またランプモニタの色を例えば緑から赤に変えてもよい。
このようにモニタランプ４の表示を変えることによってどのランプが寿命になったかが分かる。
【００３２】
実施例９．
本実施例は、ランプの近傍に光センサを配置し、その光出力が一定になるようにインバータ回路の出力を制御する方式である。
図２３は実施例９に係る誘導灯装置の内部構成図で、ランプ１２の光量を検出する光センサ３１をランプ１２の近傍に配置している。図２４は本実施例の回路構成図で、１６ａは出力電圧がＣＯＮＴ端子で制御されるＤＣ−ＤＣコンバータ回路、３２はリミッタ回路である。図２５はランプ点灯時間に対する表示パネル２の表面輝度の特性図で、Ａは表面輝度の下限値、ａは従来回路の輝度低下特性、ｂは本実施例の輝度低下特性を示す。図２６はランプ点灯時間に対するインバータ電圧の変化図で、ＶＬはリミッタ回路３２から出力する制御電圧の上限値を示す。
【００３３】
本実施例の動作は次のようになる。ランプ１２から発せられる光量を光センサ３１が受光し電気信号に変換する。光センサ３１の出力はリミッタ回路３２により出力の上限値が規制され、上限値以下の場合はその変化量がＤＣ−ＤＣコンバータ回路１６ａのＣＯＮＴ端子に入力される。光センサ３１の検出レベルがリミッタ回路３２の上限値を超えた場合は、検出レベルの変化量が大きくなってもＤＣ−ＤＣコンバータ回路１６ａのＣＯＮＴ端子入力は上限値に規制される。したがって、ＤＣ−ＤＣコンバータ回路１６ａの出力、即ちインバータ回路１７の入力電圧は図２６に示すように点灯時間ｔ１までは上昇し、それ以降は一定電圧になる。これにより表示パネル２の表面輝度も図２５にｂ特性で示すように点灯時間ｔ１までは輝度が一定となり、それ以降は輝度が低下する。
このようにランプ１２からの光量をフィードバックする期間を限定するのは、際限なくランプに電力が投入されることを防止している。
点灯時間ｔ２に達すると、従来と同様にランプモニタ４が点灯してランプ交換を知らしめる。
【００３４】
実施例１０．
本実施例は、実施例９において、光センサ３１の光出力が所定の輝度下限値Ａになるように制御する方式である。
図２７はランプ点灯時間に対する表示パネル２の表面輝度の特性図で、図２８はランプ点灯時間に対するインバータ電圧の変化図である。Ｖ１は初期電圧、Ｖ２は点灯時間ｔ２後に上限値が規制されたインバータ電圧である。回路構成は図２４と同じである。
図２７に示すように、表示パネル２の表面輝度を所定の輝度下限値ＡになるようにＤＣ−ＤＣコンバータ回路１６ａを制御し、ランプ交換時期が設定されているｔ２時間まで表面輝度が一定となるようにする。その後は光センサ３１の変化量が増大してもリミッタ回路３２によってＤＣ−ＤＣコンバータ回路１６ａのＣＯＮＴ端子電圧に制限する。
図２８は点灯時間に対するインバータ回路１７の入力電圧を示し、ＤＣ−ＤＣコンバータ回路１６ａの出力電圧がＶ１からＶ２に上昇し、ランプ１２に流れる電流を増加する。
【００３５】
実施例１１．
本実施例はさらにＡＣ電源がなくなった場合に、ＤＣ−ＤＣコンバータ回路１６ａを制御して光センサ３１の光出力を低下させる方式である。
図２９は本実施例に係る回路構成図で、電圧低下回路３３を設けたものである。図３０は動作タイミング図で、（ａ）は電源装置８の出力、（ｂ）はＤＣ−ＤＣコンバータ回路１６ａの出力を示す。
停電等によりＡＣ電源がなくなると、図３０（ａ）に示すように、電源装置８の出力が０になり、電圧低下回路３３を有効にする。光センサ３１の出力はリミッタ回路３２を経由して電圧低下回路３３に入力されているので、電圧低下回路３３の出力は図３０（ｂ）に示すようにＶ１電圧が所定の比率で分圧されＶ２電圧となる。したがって、ＤＣ−ＤＣコンバータ回路１６ａの出力電圧が低下するように制御され、インバータ回路１７の入力電圧が低くなり、ランプ１２に流れる電流が低下する。そのため、停電時においてはバッテリ１１の電力でランプ１２が点灯するため、ランプの輝度を落とし消費電力を軽減することから、バッテリ１１の容量を小さくすることができる効果がある。
【００３６】
【発明の効果】
以上説明したように、本発明によれば、冷陰極放電ランプの寿命末期に、制御手段からのＯＮ／ＯＦＦ信号で該放電ランプを点滅させるので、ランプ交換時期を明確に認識できる。
【００３７】
また、冷陰極放電ランプをランダムに点滅させることにより、あたかも従来の熱陰極放電ランプのような末期現象を示すので、ランプ交換時期が一層分かりやすくなる。
【００３８】
インバータ手段の出力を変化させて冷陰極放電ランプに流れる電流を２段階または複数段階に増加させるようにしたので、該放電ランプの輝度を所定時間経過後に、または段階的に上げることができるため、ランプ交換時期を延ばすことができる。このため、ランプ交換時期をバッテリと同時期に合わせることができ、交換作業を一度で済ませることができる。
【００３９】
また、このランプ電流の増加と上記のランプ点滅を併用することにより両者の効果を併有するものとなる。
【図面の簡単な説明】
【図１】  本発明の実施例１の回路構成図である。
【図２】  図１の制御回路の内部構成を示す回路図である。
【図３】  実施例１の動作タイミングを示す図である。
【図４】  本発明の実施例２の動作タイミングを示す図である。
【図５】  本発明の実施例３の回路構成図である。
【図６】  図５の制御回路の内部構成を示す回路図である。
【図７】  実施例３におけるランプ点灯時間に対するインバータ電圧の変化を示す図である。
【図８】  実施例３におけるランプ点灯時間に対する表示パネルの輝度の変化を示す図である。
【図９】  本発明の実施例４の回路構成図である。
【図１０】  図９の制御回路の内部構成を示す回路図である。
【図１１】  本発明の実施例５における制御回路の内部構成を示す回路図である。
【図１２】  実施例５におけるランプ点灯時間に対するインバータ電圧の変化を示す図である。
【図１３】  実施例５におけるランプ点灯時間に対する表示パネルの輝度の変化を示す図である。
【図１４】  本発明の実施例６の誘導灯装置の内部構成を示す図である。
【図１５】  実施例６の回路構成図である。
【図１６】  図１５の制御回路の内部構成を示す回路図である。
【図１７】  実施例６の動作波形図である。
【図１８】  本発明の実施例７の回路構成図である。
【図１９】  図１８の制御回路の内部構成を示す回路図である。
【図２０】  実施例７の動作タイミングを示す図である。
【図２１】  本発明の実施例８における制御回路の内部構成を示す回路図である。
【図２２】  実施例８の動作タイミングを示す図である。
【図２３】  本発明の実施例９の誘導灯装置の内部構成を示す図である。
【図２４】  実施例９の回路構成図である。
【図２５】  実施例９におけるランプ点灯時間に対する表示パネルの輝度の変化を示す図である。
【図２６】  実施例９におけるランプ点灯時間に対するインバータ電圧の変化を示す図である。
【図２７】  本発明の実施例１０におけるランプ点灯時間に対する表示パネルの輝度の変化を示す図である。
【図２８】  実施例１０におけるランプ点灯時間に対するインバータ電圧の変化を示す図である。
【図２９】  本発明の実施例１１の回路構成図である。
【図３０】  実施例１１の動作タイミングを示す図である。
【図３１】  従来の誘導灯装置の外観図である。
【図３２】  図３１の従来装置の内部構成を示す図である。
【図３３】  従来の点灯回路の構成図である。
【図３４】  図３３の制御回路の内部構成を示す回路図である。
【図３５】  従来のランプ点灯時間に対する表示パネルの輝度の変化を示す図である。
【符号の説明】
１  本体、２  表示パネル、３  引き輪、３ａ  点検スイッチ、４  ランプモニタ、８  電源装置、９  点灯装置、１０  リセットスイッチ、１１  バッテリ、１２、１２ａ、１２ｂ  ランプ、１３  端子台、１４  充電回路、１５  ダイオードＯＲ回路、１６、１６ａ、  ＤＣ−ＤＣコンバータ回路、１７、１７ａ  インバータ回路、１８、１８ａ、１８ｂ、１８ｃ、１８ｄ、１８ｅ、１８ｆ、１８ｇ  制御回路、２０  クロック発生回路、２１、２１ａ、２１ｂ  カウンタ回路、２２、２２ａ、２２ｂ  比較回路、２３、２３ａ、２３ｂ  時間設定器、２４  発振回路、２５  ゲート回路、２６  Ｄ／Ａ変換器、２７  発振回路、２８  反転回路、２９  スイッチ、３０  点滅回路、３１  光センサ、３２  リミッタ回路、３３  電圧低下回路。
【図１】
0003903290.tif 000002
【図２】
0003903290.tif 000003
【図３】
0003903290.tif 000004
【図４】
0003903290.tif 000005
【図５】
0003903290.tif 000006
【図６】
0003903290.tif 000007
【図７】
0003903290.tif 000008
【図８】
0003903290.tif 000009
【図９】
0003903290.tif 000010
【図１０】
0003903290.tif 000011
【図１１】
0003903290.tif 000012
【図１２】
0003903290.tif 000013
【図１３】
0003903290.tif 000014
【図１４】
0003903290.tif 000015
【図１５】
0003903290.tif 000016
【図１６】
0003903290.tif 000017
【図１７】
0003903290.tif 000018
【図１８】
0003903290.tif 000019
【図１９】
0003903290.tif 000020
【図２０】
0003903290.tif 000021
【図２１】
0003903290.tif 000022
【図２２】
0003903290.tif 000023
【図２３】
0003903290.tif 000024
【図２４】
0003903290.tif 000025
【図２５】
0003903290.tif 000026
【図２６】
0003903290.tif 000027
【図２７】
0003903290.tif 000028
【図２８】
0003903290.tif 000029
【図２９】
0003903290.tif 000030
【図３０】
0003903290.tif 000031
【図３１】
0003903290.tif 000032
【図３２】
0003903290.tif 000033
【図３３】
0003903290.tif 000034
【図３４】
0003903290.tif 000035
【図３５】
0003903290.tif 000036